(57)【要約】【課題】高倍率でありながらズーム全域に渡って高い光学性能を有し、小型なズームレンズ系を提供する。【解決手段】物体側から像側へと順に、正のパワーを有する第１レンズ群と、負のパワーを有する第２レンズ群と、正のパワーを有する第３レンズ群と、負のパワーを有する第４レンズ群と、正のパワーを有する第５レンズ群とを備え、条件：１８．５＜ｆＧ１／ｆＷ＜３０．０（ｆＧ１：第１レンズ群の焦点距離、ｆＷ：広角端における全系の焦点距離）及び条件：１．１＜ｍ５Ｔ／ｍ５Ｗ＜２．０（ｍ５Ｔ：望遠端における第５レンズ群の横倍率、ｍ５Ｗ：広角端における第５レンズ群の横倍率）を満足する、ズームレンズ系。【選択図】図１
2016075967.tif 000002
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群と、を備え、
撮像時の広角端から望遠端へのズーミングの際に、前記第１レンズ群と前記第２レンズ群との望遠端での間隔が広角端での該間隔よりも広くなるように、かつ、前記第２レンズ群と前記第３レンズ群との望遠端での間隔が広角端での該間隔よりも狭くなるように、少なくとも前記第１レンズ群、前記第２レンズ群及び前記第３レンズ群が光軸に沿って移動し、
開口絞りが前記第２レンズ群と前記第３レンズ群との間に配置され、
以下の条件（１）及び（３）を満足することを特徴とする、ズームレンズ系：
１８．５＜ｆＧ１／ｆＷ＜３０．０  ・・・（１）
１．１＜ｍ５Ｔ／ｍ５Ｗ＜２．０  ・・・（３）
ここで、
ｆＧ１：第１レンズ群の焦点距離、
ｆＷ：広角端における全系の焦点距離、
ｍ５Ｔ：望遠端における第５レンズ群の横倍率、
ｍ５Ｗ：広角端における第５レンズ群の横倍率
である。
【請求項２】
第４レンズ群が、無限遠合焦状態から近接物体合焦状態へのフォーカシングの際に光軸に沿って移動するフォーカシングレンズ群である、請求項１に記載のズームレンズ系。
【請求項３】
撮像時の広角端から望遠端へのズーミングの際に、第３レンズ群と第４レンズ群との望遠端での間隔が広角端での該間隔よりも広くなるように、各レンズ群が光軸に沿って移動する、請求項１に記載のズームレンズ系。
【請求項４】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項５】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本開示は、ズームレンズ系、撮像装置及びカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。
【０００３】
特許文献１は、正負正正負正の６群構成で、各レンズ群の間隔を変化させてズーミングを行うズームレンズ系を開示している。
【０００４】
特許文献２〜４は、正負の２群構成を含み、ズーミング時に第１レンズ群が像側に凸の往復軌跡を描いて移動するズームレンズ系を開示している。
【先行技術文献】
【特許文献】
【０００５】
【特許文献１】特開平１０−３３３０３８号公報
【特許文献２】特許第４８９１４３９号公報
【特許文献３】特許第４８９１４４０号公報
【特許文献４】特許第４８９１４４１号公報
【発明の概要】
【発明が解決しようとする課題】
【０００６】
本開示は、高倍率でありながらズーム全域に渡って高い光学性能を有し、小型なズームレンズ系を提供する。また本開示は、該ズームレンズ系を含む撮像装置、及び該撮像装置を備えた薄型でコンパクトなカメラを提供する。
【課題を解決するための手段】
【０００７】
本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群と、を備え、
撮像時の広角端から望遠端へのズーミングの際に、前記第１レンズ群と前記第２レンズ群との望遠端での間隔が広角端での該間隔よりも広くなるように、かつ、前記第２レンズ群と前記第３レンズ群との望遠端での間隔が広角端での該間隔よりも狭くなるように、少なくとも前記第１レンズ群、前記第２レンズ群及び前記第３レンズ群が光軸に沿って移動し、
開口絞りが前記第２レンズ群と前記第３レンズ群との間に配置され、
以下の条件（１）：
１８．５＜ｆＧ１／ｆＷ＜３０．０  ・・・（１）
及び条件（３）
１．１＜ｍ５Ｔ／ｍ５Ｗ＜２．０  ・・・（３）
（ここで、
ｆＧ１：第１レンズ群の焦点距離、
ｆＷ：広角端における全系の焦点距離、
ｍ５Ｔ：望遠端における第５レンズ群の横倍率、
ｍ５Ｗ：広角端における第５レンズ群の横倍率
である）
を満足することを特徴とする。
【０００８】
本開示における撮像装置は、
物体の光学的な像を電気的な画像信号として出力可能であり、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、
正のパワーを有する第１レンズ群と、
負のパワーを有する第２レンズ群と、
正のパワーを有する第３レンズ群と、
負のパワーを有する第４レンズ群と、
正のパワーを有する第５レンズ群と、を備え、
撮像時の広角端から望遠端へのズーミングの際に、前記第１レンズ群と前記第２レンズ群との望遠端での間隔が広角端での該間隔よりも広くなるように、かつ、前記第２レンズ群と前記第３レンズ群との望遠端での間隔が広角端での該間隔よりも狭くなるように、少なくとも前記第１レンズ群、前記第２レンズ群及び前記第３レンズ群が光軸に沿って移動し、
開口絞りが前記第２レンズ群と前記第３レンズ群との間に配置され、
以下の条件（１）：
１８．５＜ｆＧ１／ｆＷ＜３０．０  ・・・（１）
及び条件（３）
１．１＜ｍ５Ｔ／ｍ５Ｗ＜２．０  ・・・（３）
（ここで、
ｆＧ１：第１レンズ群の焦点距離、
ｆＷ：広角端における全系の焦点距離、
ｍ５Ｔ：望遠端における第５レンズ群の横倍率、
ｍ５Ｗ：広角端における第５レンズ群の横倍率
である）
を満足するズームレンズ系であることを特徴とする。
【０００９】
本開示におけるカメラは、
物体の光学的な像を電気的な画像信号に変換し、変換された画像信号の表示及び記憶の少なくとも一方を行い、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、
正のパワーを有する第１レンズ群と、
負のパワーを有する第２レンズ群と、
正のパワーを有する第３レンズ群と、
パワーを有する第４レンズ群と、
パワーを有する第５レンズ群と、を備え、
撮像時の広角端から望遠端へのズーミングの際に、前記第１レンズ群と前記第２レンズ群との望遠端での間隔が広角端での該間隔よりも広くなるように、かつ、前記第２レンズ群と前記第３レンズ群との望遠端での間隔が広角端での該間隔よりも狭くなるように、少なくとも前記第１レンズ群、前記第２レンズ群及び前記第３レンズ群が光軸に沿って移動し、
開口絞りが前記第２レンズ群と前記第３レンズ群との間に配置され、
以下の条件（１）：
１８．５＜ｆＧ１／ｆＷ＜３０．０  ・・・（１）
及び条件（３）
１．１＜ｍ５Ｔ／ｍ５Ｗ＜２．０  ・・・（３）
（ここで、
ｆＧ１：第１レンズ群の焦点距離、
ｆＷ：広角端における全系の焦点距離、
ｍ５Ｔ：望遠端における第５レンズ群の横倍率、
ｍ５Ｗ：広角端における第５レンズ群の横倍率
である）
を満足するズームレンズ系であることを特徴とする。
【発明の効果】
【００１０】
本開示におけるズームレンズ系は、高倍率でありながらズーム全域に渡って高い光学性能を有し、小型である。
【図面の簡単な説明】
【００１１】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６に係るデジタルスチルカメラの概略構成図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を充分に理解するために添付図面および以下の説明を提供するのであって、これらによって請求の範囲に記載の主題を限定することを意図するものではない。
【００１４】
（実施の形態１〜５） 
図１、４、７、１０及び１３は、各々実施の形態１〜５に係るズームレンズ系のレンズ配置図であり、いずれも無限遠合焦状態にあるズームレンズ系を表している。
【００１５】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１６】
さらに各図において、レンズ群に付された矢印は、無限遠合焦状態から近接物体合焦状態へのフォーカシングを表す。すなわち、図１、４、７、１０及び１３では、後述する第４レンズ群Ｇ４が無限遠合焦状態から近接物体合焦状態へのフォーカシングの際に移動する方向を示している。なお、これら図１、４、７、１０及び１３では、（ａ）図に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１７】
なお図１、４、７、１０及び１３において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（実施の形態１〜３では、像面Ｓと第６レンズ群Ｇ６の最像側レンズ面との間、実施の形態４及び５では、像面Ｓと第５レンズ群Ｇ５の最像側レンズ面との間）には、光学的ローパスフィルタや撮像素子のフェースプレート等と等価な平行平板Ｐが設けられている。
【００１８】
さらに図１、４、７、１０及び１３に示すように、第２レンズ群Ｇ２と第３レンズ群Ｇ３との間には、開口絞りＡが設けられている。該開口絞りＡは、撮像時の広角端から望遠端へのズーミングの際に、第３レンズ群Ｇ３と一体的に光軸上を移動する。
【００１９】
［１．実施の形態１（図１）］
図１に示すように、実施の形態１に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５と、正のパワーを有する第６レンズ群Ｇ６とを備える。実施の形態１に係るズームレンズ系は、各レンズ群をこのようなパワー配置にすることにより、高い光学性能を保持しつつ、レンズ系全体の小型化を可能にしている。
【００２０】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２１】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。第５レンズ素子Ｌ５は、その両面が非球面である。
【００２２】
第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、像側に凸面を向けた正メニスカス形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。第７レンズ素子Ｌ７は、その両面が非球面である。
【００２３】
第４レンズ群Ｇ４は、物体側から像側へと順に、像側に凸面を向けた負メニスカス形状の第１１レンズ素子Ｌ１１と、両凸形状の第１２レンズ素子Ｌ１２とからなる。第１１レンズ素子Ｌ１１は、その物体側面が非球面であり、第１２レンズ素子Ｌ１２は、その像側面が非球面である。
【００２４】
第５レンズ群Ｇ５は、両凹形状の第１３レンズ素子Ｌ１３のみからなる。第１３レンズ素子Ｌ１３は、その物体側面が非球面である。
【００２５】
第６レンズ群Ｇ６は、像側に凸面を向けた正メニスカス形状の第１４レンズ素子Ｌ１４のみからなる。第１４レンズ素子Ｌ１４は、その両面が非球面である。
【００２６】
第２レンズ群Ｇ２と第３レンズ群Ｇ３との間には、開口絞りＡが設けられている。
【００２７】
実施の形態１に係るズームレンズ系では、第３レンズ群Ｇ３全体が、後述する、像のぶれを光学的に補正するために光軸に対して垂直方向に移動する像ぶれ補正レンズ群に相当する。
【００２８】
実施の形態１に係るズームレンズ系において、撮像時の広角端から望遠端へのズーミングの際に、第１レンズ群Ｇ１、第４レンズ群Ｇ４及び第５レンズ群Ｇ５は、物体側へ移動し、第２レンズ群Ｇ２は、像側に凸の軌跡を描いて移動し、第３レンズ群Ｇ３は、単調に物体側へ移動し、第６レンズ群Ｇ６は、像側へ移動する。すなわち、ズーミングに際して、第１レンズ群Ｇ１と第２レンズ群Ｇ２との間隔、第３レンズ群Ｇ３と第４レンズ群Ｇ４との間隔及び第５レンズ群Ｇ５と第６レンズ群Ｇ６との間隔が増大し、第２レンズ群Ｇ２と第３レンズ群Ｇ３との間隔及び第４レンズ群Ｇ４と第５レンズ群Ｇ５との間隔が減少するように、第１レンズ群Ｇ１、第２レンズ群Ｇ２、第３レンズ群Ｇ３、第４レンズ群Ｇ４、第５レンズ群Ｇ５及び第６レンズ群Ｇ６が光軸に沿ってそれぞれ移動する。
【００２９】
実施の形態１に係るズームレンズ系において、無限遠合焦状態から近接物体合焦状態へのフォーカシングの際に、フォーカシングレンズ群である第４レンズ群Ｇ４は、いずれのズーミング状態でも光軸に沿って物体側へ移動する。
【００３０】
なお、前記フォーカシングレンズ群は、第５レンズ群Ｇ５あるいは第６レンズ群Ｇ６であってもよい。
【００３１】
［２．実施の形態２（図４）］
図４に示すように、実施の形態２に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５と、正のパワーを有する第６レンズ群Ｇ６とを備える。実施の形態２に係るズームレンズ系は、各レンズ群をこのようなパワー配置にすることにより、高い光学性能を保持しつつ、レンズ系全体の小型化を可能にしている。
【００３２】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３３】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。第５レンズ素子Ｌ５は、その両面が非球面である。
【００３４】
第３レンズ群Ｇ３は、物体側から像側へと順に、物体側に凸面を向けた正メニスカス形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。第８レンズ素子Ｌ８は、その物体側面が非球面である。
【００３５】
第４レンズ群Ｇ４は、物体側に凸面を向けた正メニスカス形状の第１１レンズ素子Ｌ１１のみからなる。
【００３６】
第５レンズ群Ｇ５は、両凹形状の第１２レンズ素子Ｌ１２のみからなる。
【００３７】
第６レンズ群Ｇ６は、両凸形状の第１３レンズ素子Ｌ１３のみからなる。第１３レンズ素子Ｌ１３は、その両面が非球面である。
【００３８】
第２レンズ群Ｇ２と第３レンズ群Ｇ３との間には、開口絞りＡが設けられている。
【００３９】
実施の形態２に係るズームレンズ系では、第３レンズ群Ｇ３全体が、後述する、像のぶれを光学的に補正するために光軸に対して垂直方向に移動する像ぶれ補正レンズ群に相当する。
【００４０】
実施の形態２に係るズームレンズ系において、撮像時の広角端から望遠端へのズーミングの際に、第１レンズ群Ｇ１、第４レンズ群Ｇ４及び第５レンズ群Ｇ５は、物体側へ移動し、第２レンズ群Ｇ２は、像側に凸の軌跡を描いて移動し、第３レンズ群Ｇ３は、単調に物体側へ移動し、第６レンズ群Ｇ６は、像側へ移動する。すなわち、ズーミングに際して、第１レンズ群Ｇ１と第２レンズ群Ｇ２との間隔、第３レンズ群Ｇ３と第４レンズ群Ｇ４との間隔、第４レンズ群Ｇ４と第５レンズ群Ｇ５との間隔及び第５レンズ群Ｇ５と第６レンズ群Ｇ６との間隔が増大し、第２レンズ群Ｇ２と第３レンズ群Ｇ３との間隔が減少するように、第１レンズ群Ｇ１、第２レンズ群Ｇ２、第３レンズ群Ｇ３、第４レンズ群Ｇ４、第５レンズ群Ｇ５及び第６レンズ群Ｇ６が光軸に沿ってそれぞれ移動する。
【００４１】
実施の形態２に係るズームレンズ系において、無限遠合焦状態から近接物体合焦状態へのフォーカシングの際に、フォーカシングレンズ群である第４レンズ群Ｇ４は、いずれのズーミング状態でも光軸に沿って物体側へ移動する。
【００４２】
なお、前記フォーカシングレンズ群は、第５レンズ群Ｇ５あるいは第６レンズ群Ｇ６であってもよい。
【００４３】
［３．実施の形態３（図７）］
図７に示すように、実施の形態３に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、負のパワーを有する第５レンズ群Ｇ５と、正のパワーを有する第６レンズ群Ｇ６とを備える。実施の形態３に係るズームレンズ系は、各レンズ群をこのようなパワー配置にすることにより、高い光学性能を保持しつつ、レンズ系全体の小型化を可能にしている。
【００４４】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４５】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。第５レンズ素子Ｌ５は、その両面が非球面である。
【００４６】
第３レンズ群Ｇ３は、物体側から像側へと順に、両凸形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。第７レンズ素子Ｌ７は、その両面が非球面である。
【００４７】
第４レンズ群Ｇ４は、物体側に凸面を向けた負メニスカス形状の第１１レンズ素子Ｌ１１のみからなる。第１１レンズ素子Ｌ１１は、その物体側面が非球面である。
【００４８】
第５レンズ群Ｇ５は、像側に凸面を向けた負メニスカス形状の第１２レンズ素子Ｌ１２のみからなる。
【００４９】
第６レンズ群Ｇ６は、両凸形状の第１３レンズ素子Ｌ１３のみからなる。第１３レンズ素子Ｌ１３は、その両面が非球面である。
【００５０】
第２レンズ群Ｇ２と第３レンズ群Ｇ３との間には、開口絞りＡが設けられている。
【００５１】
実施の形態３に係るズームレンズ系では、第３レンズ群Ｇ３全体が、後述する、像のぶれを光学的に補正するために光軸に対して垂直方向に移動する像ぶれ補正レンズ群に相当する。
【００５２】
実施の形態３に係るズームレンズ系において、撮像時の広角端から望遠端へのズーミングの際に、第１レンズ群Ｇ１は、物体側へ移動し、第２レンズ群Ｇ２、第４レンズ群Ｇ４及び第５レンズ群Ｇ５は、像側に凸の軌跡を描いて移動し、第３レンズ群Ｇ３は、単調に物体側へ移動し、第６レンズ群Ｇ６は、像側へ移動する。すなわち、ズーミングに際して、第１レンズ群Ｇ１と第２レンズ群Ｇ２との間隔、第３レンズ群Ｇ３と第４レンズ群Ｇ４との間隔、第４レンズ群Ｇ４と第５レンズ群Ｇ５との間隔及び第５レンズ群Ｇ５と第６レンズ群Ｇ６との間隔が増大し、第２レンズ群Ｇ２と第３レンズ群Ｇ３との間隔が減少するように、第１レンズ群Ｇ１、第２レンズ群Ｇ２、第３レンズ群Ｇ３、第４レンズ群Ｇ４、第５レンズ群Ｇ５及び第６レンズ群Ｇ６が光軸に沿ってそれぞれ移動する。
【００５３】
実施の形態３に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００５４】
なお、前記フォーカシングレンズ群は、第５レンズ群Ｇ５あるいは第６レンズ群Ｇ６であってもよい。
【００５５】
［４．実施の形態４（図１０）］
図１０に示すように、実施の形態４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。実施の形態４に係るズームレンズ系は、各レンズ群をこのようなパワー配置にすることにより、高い光学性能を保持しつつ、レンズ系全体の小型化を可能にしている。
【００５６】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とは接合されている。
【００５７】
第２レンズ群Ｇ２は、物体側から像側へと順に、物体側に凸面を向けた負メニスカス形状の第５レンズ素子Ｌ５と、両凹形状の第６レンズ素子Ｌ６と、両凸形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とは接合されている。第５レンズ素子Ｌ５は、その両面が非球面である。
【００５８】
第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とは接合されている。第９レンズ素子Ｌ９は、その両面が非球面である。
【００５９】
第４レンズ群Ｇ４は、両凹形状の第１３レンズ素子Ｌ１３のみからなる。
【００６０】
第５レンズ群Ｇ５は、両凸形状の第１４レンズ素子Ｌ１４のみからなる。第１４レンズ素子Ｌ１４は、その両面が非球面である。
【００６１】
第２レンズ群Ｇ２と第３レンズ群Ｇ３との間には、開口絞りＡが設けられている。
【００６２】
実施の形態４に係るズームレンズ系では、第３レンズ群Ｇ３全体が、後述する、像のぶれを光学的に補正するために光軸に対して垂直方向に移動する像ぶれ補正レンズ群に相当する。
【００６３】
実施の形態４に係るズームレンズ系において、撮像時の広角端から望遠端へのズーミングの際に、第１レンズ群Ｇ１は、物体側へ移動し、第２レンズ群Ｇ２及び第４レンズ群Ｇ４は、像側に凸の軌跡を描いて移動し、第３レンズ群Ｇ３は、単調に物体側へ移動し、第５レンズ群Ｇ５は、像側へ移動する。すなわち、ズーミングに際して、第１レンズ群Ｇ１と第２レンズ群Ｇ２との間隔、第３レンズ群Ｇ３と第４レンズ群Ｇ４との間隔及び第４レンズ群Ｇ４と第５レンズ群Ｇ５との間隔が増大し、第２レンズ群Ｇ２と第３レンズ群Ｇ３との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００６４】
実施の形態４に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００６５】
なお、前記フォーカシングレンズ群は、第５レンズ群Ｇ５であってもよい。
【００６６】
［５．実施の形態５（図１３）］
図１３に示すように、実施の形態５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。実施の形態５に係るズームレンズ系は、各レンズ群をこのようなパワー配置にすることにより、高い光学性能を保持しつつ、レンズ系全体の小型化を可能にしている。
【００６７】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００６８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６とからなる。
【００６９】
第３レンズ群Ｇ３は、物体側から像側へと順に、両凸形状の第７レンズ素子Ｌ７と、像側に凸面を向けた正メニスカス形状の第８レンズ素子Ｌ８と、両凹形状の第９レンズ素子Ｌ９と、両凸形状の第１０レンズ素子Ｌ１０とからなる。これらのうち、第８レンズ素子Ｌ８と第９レンズ素子Ｌ９とは接合されている。第７レンズ素子Ｌ７は、その両面が非球面である。
【００７０】
第４レンズ群Ｇ４は、両凹形状の第１１レンズ素子Ｌ１１のみからなる。
【００７１】
第５レンズ群Ｇ５は、両凸形状の第１２レンズ素子Ｌ１２のみからなる。第１２レンズ素子Ｌ１２は、その両面が非球面である。
【００７２】
第２レンズ群Ｇ２と第３レンズ群Ｇ３との間には、開口絞りＡが設けられている。
【００７３】
実施の形態５に係るズームレンズ系では、第３レンズ群Ｇ３全体が、後述する、像のぶれを光学的に補正するために光軸に対して垂直方向に移動する像ぶれ補正レンズ群に相当する。
【００７４】
実施の形態５に係るズームレンズ系において、撮像時の広角端から望遠端へのズーミングの際に、第１レンズ群Ｇ１は、物体側へ移動し、第２レンズ群Ｇ２及び第４レンズ群Ｇ４は、像側に凸の軌跡を描いて移動し、第３レンズ群Ｇ３は、単調に物体側へ移動し、第５レンズ群Ｇ５は、像側へ移動する。すなわち、ズーミングに際して、第１レンズ群Ｇ１と第２レンズ群Ｇ２との間隔、第３レンズ群Ｇ３と第４レンズ群Ｇ４との間隔及び第４レンズ群Ｇ４と第５レンズ群Ｇ５との間隔が増大し、第２レンズ群Ｇ２と第３レンズ群Ｇ３との間隔が減少するように、第１レンズ群Ｇ１、第２レンズ群Ｇ２、第３レンズ群Ｇ３、第４レンズ群Ｇ４及び第５レンズ群Ｇ５が光軸に沿ってそれぞれ移動する。
【００７５】
実施の形態５に係るズームレンズ系において、無限遠合焦状態から近接物体合焦状態へのフォーカシングの際に、フォーカシングレンズ群である第４レンズ群Ｇ４は、いずれのズーミング状態でも光軸に沿って像側へ移動する。
【００７６】
なお、前記フォーカシングレンズ群は、第５レンズ群Ｇ５であってもよい。
【００７７】
［６．実施の形態１〜５のまとめ］
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００７８】
以下、例えば実施の形態１〜５に係るズームレンズ系のごときズームレンズ系が満足することが有益な条件を説明する。なお、各実施の形態に係るズームレンズ系に対して、複数の有益な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００７９】
例えば実施の形態１〜５に係るズームレンズ系のように、物体側から像側へと順に、正のパワーを有する第１レンズ群と、負のパワーを有する第２レンズ群と、正のパワーを有する第３レンズ群と、パワーを有する第４レンズ群と、パワーを有する第５レンズ群とを備え、撮像時の広角端から望遠端へのズーミングの際に、前記第１レンズ群と前記第２レンズ群との望遠端での間隔が広角端での該間隔よりも広くなるように、かつ、前記第２レンズ群と前記第３レンズ群との望遠端での間隔が広角端での該間隔よりも狭くなるように、少なくとも前記第１レンズ群、前記第２レンズ群及び前記第３レンズ群が光軸に沿って移動し、開口絞りが前記第２レンズ群と前記第３レンズ群との間に配置される（以下、このレンズ構成を、実施の形態の基本構成という）ズームレンズ系は、以下の条件（１）を満足する。
１８．５＜ｆＧ１／ｆＷ＜３０．０  ・・・（１）
ここで、
ｆＧ１：第１レンズ群の焦点距離、
ｆＷ：広角端における全系の焦点距離
である。
【００８０】
前記条件（１）は、第１レンズ群の焦点距離と広角端における全系の焦点距離との比を規定するための条件である。条件（１）の下限を下回ると、第１レンズ群の焦点距離が短くなり過ぎるため、全系に渡っての諸収差の補正が困難となり、所望の光学性能を確保することが困難となる。また、条件（１）の上限を上回ると、第１レンズ群の焦点距離が長くなり過ぎるため、ズーミング時の第１レンズ群の移動量が大きくなるとともに、望遠端でのレンズ全長が長くなり過ぎることから、コンパクトなレンズ鏡筒や撮像装置、カメラを提供することが困難となる。
【００８１】
さらに以下の条件（１）’及び（１）’’の少なくとも１つを満足することにより、前記効果をさらに奏功させることができる。
１９．５＜ｆＧ１／ｆＷ  ・・・（１）’
ｆＧ１／ｆＷ＜２５．０  ・・・（１）’’
【００８２】
実施の形態１〜３に係るズームレンズ系は、基本構成を有し、第５レンズ群の像側に、パワーを有する第６レンズ群を備えるズームレンズ系である。
【００８３】
実施の形態１及び２に係るズームレンズ系は、第４レンズ群が正のパワーを有し、第５レンズ群が負のパワーを有し、第６レンズ群が正のパワーを有し、第４レンズ群が、無限遠合焦状態から近接物体合焦状態へのフォーカシングの際に光軸に沿って移動するフォーカシングレンズ群であり、撮像時の広角端から望遠端へのズーミングの際に、第３レンズ群と第４レンズ群との望遠端での間隔が広角端での該間隔よりも広くなるように、各レンズ群が光軸に沿って移動するズームレンズ系である。例えば実施の形態１及び２に係るズームレンズ系のようなズームレンズ系は、以下の条件（２）を満足することが有益である。
１．１＜ｍ６Ｔ／ｍ６Ｗ＜２．０  ・・・（２）
ここで、
ｍ６Ｔ：望遠端における第６レンズ群の横倍率、
ｍ６Ｗ：広角端における第６レンズ群の横倍率
である。
【００８４】
実施の形態３に係るズームレンズ系は、第４レンズ群が負のパワーを有し、第５レンズ群が負のパワーを有し、第６レンズ群が正のパワーを有し、第４レンズ群が、無限遠合焦状態から近接物体合焦状態へのフォーカシングの際に光軸に沿って移動するフォーカシングレンズ群であり、撮像時の広角端から望遠端へのズーミングの際に、第３レンズ群と第４レンズ群との望遠端での間隔が広角端での該間隔よりも広くなるように、各レンズ群が光軸に沿って移動するズームレンズ系である。例えば実施の形態３に係るズームレンズ系のようなズームレンズ系は、前記条件（２）を満足することが有益である。
【００８５】
前記条件（２）は、望遠端における第６レンズ群の横倍率と広角端における第６レンズ群の横倍率との比を規定するための条件である。条件（２）の下限を下回ると、望遠端における第６レンズ群の横倍率が小さくなり過ぎるため、諸収差、特に像面湾曲の補正が困難となる。また、条件（２）の上限を上回ると、広角端における第６レンズ群の横倍率が小さくなり過ぎるため、諸収差、特に像面湾曲の補正が困難となる。
【００８６】
さらに以下の条件（２）’及び（２）’’の少なくとも１つを満足することにより、前記効果をさらに奏功させることができる。
１．３＜ｍ６Ｔ／ｍ６Ｗ  ・・・（２）’
ｍ６Ｔ／ｍ６Ｗ＜１．８  ・・・（２）’’
【００８７】
実施の形態４及び５に係るズームレンズ系は、基本構成を有するズームレンズ系のうち、第４レンズ群が負のパワーを有し、第５レンズ群が正のパワーを有し、第４レンズ群が、無限遠合焦状態から近接物体合焦状態へのフォーカシングの際に光軸に沿って移動するフォーカシングレンズ群であり、撮像時の広角端から望遠端へのズーミングの際に、第３レンズ群と第４レンズ群との望遠端での間隔が広角端での該間隔よりも広くなるように、各レンズ群が光軸に沿って移動するズームレンズ系である。例えば実施の形態４及び５に係るズームレンズ系のようなズームレンズ系は、以下の条件（３）を満足することが有益である。
１．１＜ｍ５Ｔ／ｍ５Ｗ＜２．０  ・・・（３）
ここで、
ｍ５Ｔ：望遠端における第５レンズ群の横倍率、
ｍ５Ｗ：広角端における第５レンズ群の横倍率
である。
【００８８】
前記条件（３）は、望遠端における第５レンズ群の横倍率と広角端における第５レンズ群の横倍率との比を規定するための条件である。条件（３）の下限を下回ると、望遠端における第５レンズ群の横倍率が小さくなり過ぎるため、諸収差、特に像面湾曲の補正が困難となる。また、条件（３）の上限を上回ると、広角端における第５レンズ群の横倍率が小さくなり過ぎるため、諸収差、特に像面湾曲の補正が困難となる。
【００８９】
さらに以下の条件（３）’及び（３）’’の少なくとも１つを満足することにより、前記効果をさらに奏功させることができる。
１．３＜ｍ５Ｔ／ｍ５Ｗ  ・・・（３）’
ｍ５Ｔ／ｍ５Ｗ＜１．８  ・・・（３）’’
【００９０】
本開示におけるズームレンズ系では、該ズームレンズ系を構成するレンズ群のうちのいずれかのレンズ群、あるいは、各レンズ群の一部のサブレンズ群を、像のぶれを光学的に補正するために光軸に対して垂直方向に移動する像ぶれ補正レンズ群とすることができる。実施の形態１〜５に係るズームレンズ系では、第３レンズ群Ｇ３全体を光軸に直交する方向に移動させることによって、全系の振動による像点移動を補正する、すなわち、手ぶれ、振動等による像のぶれを光学的に補正する。
【００９１】
全系の振動による像点移動を補正する際に、像ぶれ補正レンズ群が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００９２】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００９３】
実施の形態１〜５に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【００９４】
（実施の形態６）
図１６は、実施の形態６に係るデジタルスチルカメラの概略構成図である。図１６において、デジタルスチルカメラは、ズームレンズ系１と、撮像素子２と、液晶モニタ３と、筐体４と、から構成されている。撮像装置は、ズームレンズ系１と撮像素子２と含む。ズームレンズ系１は、第１レンズ群Ｇ１と、第２レンズ群Ｇ２と、第３レンズ群Ｇ３と、第４レンズ群Ｇ４と、第５レンズ群Ｇ５と、第６レンズ群Ｇ６と、から構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００９５】
図１６においては、ズームレンズ系１として実施の形態１に係るズームレンズ系を用いた場合を図示している。なお、実施の形態１に係るズームレンズ系に替えて実施の形態２〜５に係るズームレンズ系のいずれかを用いてもよい。また、図１６に示したデジタルスチルカメラの光学系は、動画像を対象とするデジタルビデオカメラに用いることもできる。この場合、静止画像だけでなく、解像度の高い動画像を撮影することができる。
【００９６】
以上のように、本出願において開示する技術の例示として、実施の形態６を説明した。しかしながら、本開示における技術は、これに限定されず、適宜、変更、置き換え、付加、省略などを行った実施の形態にも適用可能である。
【００９７】
また、以上説明した実施の形態１〜５に係るズームレンズ系と、ＣＣＤやＣＭＯＳ等の撮像素子とから構成される撮像装置を、スマートフォン等の携帯情報端末のカメラ、監視システムにおける監視カメラ、Ｗｅｂカメラ、車載カメラ等に適用することもできる。
【００９８】
（数値実施例）
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2016075967.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００９９】
図２、５、８、１１及び１４は、各々数値実施例１〜５に係るズームレンズ系の無限遠合焦状態の縦収差図である。
【０１００】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１０１】
図３、６、９、１２及び１５は、各々数値実施例１〜５に係るズームレンズ系の望遠端における横収差図である。
【０１０２】
各横収差図において、上段３つの収差図は、望遠端における像ぶれ補正を行っていない基本状態、下段３つの収差図は、像ぶれ補正レンズ群（第３レンズ群Ｇ３全体）を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１０３】
なお、各数値実施例のズームレンズ系について、望遠端における、像ぶれ補正状態での像ぶれ補正レンズ群の光軸と垂直な方向への移動量は、以下に示すとおりである。
数値実施例１    ０．３３７ｍｍ
数値実施例２    ０．３１０ｍｍ
数値実施例３    ０．２５３ｍｍ
数値実施例４    ０．２８１ｍｍ
数値実施例５    ０．２８１ｍｍ
【０１０４】
撮影距離が∞で望遠端において、ズームレンズ系が所定の角度だけ傾いた場合の像偏心量は、像ぶれ補正レンズ群が光軸と垂直な方向に上記の各値だけ平行移動するときの像偏心量に等しい。
【０１０５】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、所定の角度までの像ぶれ補正角に対して、結像特性を低下させることなく充分な像ぶれ補正を行うことが可能である。
【０１０６】
（数値実施例１）
数値実施例１のズームレンズ系は、図１に示した実施の形態１に対応する。数値実施例１のズームレンズ系の面データを表１に、非球面データを表２に、無限遠合焦状態での各種データを表３に示す。
【０１０７】
表  １（面データ）
面番号         r           d           nd         vd                
物面             ∞                                               
1         86.00230     1.35000     1.80610    33.3               
2         47.46400     0.01000     1.56732    42.8               
3         47.46400     4.43550     1.49700    81.6               
4      -1202.97800     0.20000                                   
5         47.37700     3.43110     1.49700    81.6               
6        281.37970        可変                                   
7        547.82520     0.70000     1.80420    46.5               
8          9.41650     5.55540                                   
9*       -16.51970     0.70000     1.76681    49.7               
10*        38.34820     0.43500                                   
11         20.80940     2.08260     1.94595    18.0               
12        947.29690        可変                                   
13(絞り)           ∞     0.50000                                   
14*        11.72260     2.86640     1.58332    59.1               
15*       -40.62510     1.38970                                   
16         14.51810     2.45190     1.49700    81.6               
17        -19.87650     0.01000     1.56732    42.8               
18        -19.87650     0.50000     1.80610    33.3               
19         11.28530     1.32450                                   
20        -73.09930     1.90480     1.58144    40.9               
21        -14.37870        可変                                   
22*       -25.35330     0.60000     1.63550    23.9               
23        -54.00470     0.20000                                   
24         22.14390     1.80540     1.54410    56.1               
25*       -40.03450        可変                                   
26*      -162.84400     0.60000     1.54410    56.1               
27         15.56530        可変                                   
28*       -31.01180     1.64060     1.54410    56.1               
29*        -7.95930        可変                                   
30               ∞     0.78000     1.51680    64.2               
31               ∞        (BF)                                   
像面             ∞                                               
【０１０８】
表  ２（非球面データ）
第9面
K= 0.00000E+00, A4= 6.42418E-05, A6= 5.26538E-06, A8=-8.74983E-08
A10= 4.12908E-10
第10面
K= 0.00000E+00, A4= 1.00415E-04, A6= 3.41384E-06, A8=-7.51738E-08
A10= 3.89772E-10
第14面
K= 0.00000E+00, A4=-5.21767E-05, A6=-5.23261E-07, A8= 2.42438E-09
A10=-1.47501E-10
第15面
K= 0.00000E+00, A4= 5.17974E-05, A6=-5.38305E-07, A8=-3.81085E-09
A10=-2.33806E-11
第22面
K= 0.00000E+00, A4=-1.51018E-05, A6= 1.20032E-07, A8=-1.27960E-08
A10=-1.29107E-10
第25面
K= 0.00000E+00, A4=-5.21956E-07, A6= 1.99204E-07, A8=-1.50590E-08
A10= 6.63478E-11
第26面
K= 0.00000E+00, A4=-6.60473E-05, A6= 3.19059E-06, A8=-3.64389E-07
A10= 1.28053E-08
第28面
K= 0.00000E+00, A4=-1.27868E-03, A6= 4.29123E-05, A8=-3.15128E-06
A10= 3.42649E-08
第29面
K= 0.00000E+00, A4=-8.50894E-04, A6= 6.45084E-05, A8=-3.84172E-06
A10= 5.33891E-08
【０１０９】
表  ３（無限遠合焦状態での各種データ）
ズーム比    56.00512
広角      中間      望遠
焦点距離       3.7098   27.7644  207.7671
Ｆナンバー     2.90020   5.67685   6.10109
画角        47.7568    7.8898    1.0597
像高         3.4080    3.9020    3.9020
レンズ全長     90.8772  113.6060  149.9617
ＢＦ        0.86547   0.87350   0.83168
d6           0.5000   31.9869   61.3438
d12         41.9101   10.3600    1.5000
d21          2.4927   18.6493   32.5536
d25          2.0073    9.8558    3.0040
d27          2.0000    5.0000   13.9874
d29          5.6287    1.4076    1.2683
ズームレンズ群データ
群   始面    焦点距離
1      1    83.68280
2      7    -8.99464
3     13    19.12526
4     22    39.62290
5     26   -26.08067
6     28    19.19766
【０１１０】
（数値実施例２）
数値実施例２のズームレンズ系は、図４に示した実施の形態２に対応する。数値実施例２のズームレンズ系の面データを表４に、非球面データを表５に、無限遠合焦状態での各種データを表６に示す。
【０１１１】
表  ４（面データ）
面番号         r           d           nd         vd                
物面             ∞                                               
1        104.45080     1.35000     1.80610    33.3               
2         50.90580     0.01000     1.56732    42.8               
3         50.90580     4.82620     1.49700    81.6               
4       -543.08740     0.20000                                   
5         46.82610     3.46080     1.59282    68.6               
6        152.61140        可変                                   
7        133.53650     0.70000     1.80420    46.5               
8          8.49340     5.81150                                   
9*       -13.83640     0.70000     1.77200    50.0               
10*        63.83110     0.42060                                   
11         29.35740     1.95420     1.94595    18.0               
12        -70.15780        可変                                   
13(絞り)           ∞     0.50000                                   
14         11.49050     2.15370     1.62041    60.3               
15        100.00000     4.03840                                   
16*        15.46890     3.44350     1.55332    71.7               
17        -11.07510     0.01000     1.56732    42.8               
18        -11.07510     0.50000     1.80610    33.3               
19         17.02280     0.96520                                   
20        361.75920     1.76250     1.54410    56.1               
21        -14.30370        可変                                   
22         17.31510     1.11230     1.54410    56.1               
23         82.78790        可変                                   
24        -27.70670     0.50000     1.49700    81.6               
25         12.25950        可変                                   
26*        26.33220     2.56000     1.54410    56.1               
27*       -10.81750        可変                                   
28               ∞     0.78000     1.51680    64.2               
29               ∞        (BF)                                   
像面             ∞                                               
【０１１２】
表  ５（非球面データ）
第9面
K= 0.00000E+00, A4= 1.43019E-04, A6= 2.74470E-06, A8=-7.80981E-08
A10= 5.36677E-10
第10面
K= 0.00000E+00, A4= 1.29417E-04, A6= 7.19533E-07, A8=-5.80983E-08
A10= 4.77012E-10
第16面
K= 0.00000E+00, A4=-1.56386E-04, A6=-7.88420E-07, A8= 1.88743E-09
A10=-2.53388E-10
第26面
K= 0.00000E+00, A4=-4.14955E-04, A6= 1.61134E-05, A8=-2.07107E-07
A10= 4.36533E-09
第27面
K= 0.00000E+00, A4=-1.54889E-04, A6= 1.99095E-05, A8=-1.02510E-07
A10=-6.16053E-10
【０１１３】
表  ６（無限遠合焦状態での各種データ）
ズーム比    55.97618
広角      中間      望遠
焦点距離       3.7099   27.7639  207.6670
Ｆナンバー     2.90017   5.35598   6.09833
画角        47.5874    7.8566    1.0678
像高         3.4080    3.9020    3.9020
レンズ全長     87.8697  115.1827  149.9656
ＢＦ        0.87250   0.87502   0.83536
d6           0.5000   38.0000   65.6266
d12         38.0000    9.5098    1.5000
d21          1.7974   14.6317   23.2941
d23          2.0026    8.0931    2.9963
d25          2.0000    5.0000   16.9543
d27          4.9383    1.3142    1.0000
ズームレンズ群データ
群   始面    焦点距離
1      1    87.83129
2      7    -8.76270
3     13    18.42267
4     22    40.00001
5     24   -17.02984
6     26    14.44295
【０１１４】
（数値実施例３）
数値実施例３のズームレンズ系は、図７に示した実施の形態３に対応する。数値実施例３のズームレンズ系の面データを表７に、非球面データを表８に、無限遠合焦状態での各種データを表９に示す。
【０１１５】
表  ７（面データ）
面番号         r           d           nd         vd                
物面             ∞                                               
1        101.04660     1.70000     1.80610    33.3               
2         50.29840     0.01000     1.56732    42.8               
3         50.29840     4.59890     1.49700    81.6               
4       -915.77430     0.20000                                   
5         47.57360     3.35840     1.59282    68.6               
6        151.30440        可変                                   
7         90.02690     1.00000     1.80420    46.5               
8          8.41060     5.96030                                   
9*       -13.67970     0.70000     1.77200    50.0               
10*        39.29940     0.20000                                   
11         27.46550     2.02830     1.94595    18.0               
12        -61.88720        可変                                   
13(絞り)           ∞     0.50000                                   
14*        11.71920     2.96540     1.60602    57.4               
15*       -36.45880     2.18400                                   
16         26.19990     1.79380     1.49700    81.6               
17        -28.29220     0.01000     1.56732    42.8               
18        -28.29220     0.50000     1.80610    33.3               
19         10.25980     1.75320                                   
20         16.76280     3.10060     1.49700    81.6               
21        -13.39240        可変                                   
22*        25.37060     0.50000     1.49700    81.6               
23         15.82780        可変                                   
24        -13.09360     0.50000     1.49700    81.6               
25        -63.24920        可変                                   
26*        26.84170     2.28190     1.54410    56.1               
27*       -12.23030        可変                                   
28               ∞     0.78000     1.51680    64.2               
29               ∞        (BF)                                   
像面             ∞                                               
【０１１６】
表  ８（非球面データ）
第9面
K= 0.00000E+00, A4= 1.00449E-04, A6= 4.14158E-06, A8=-1.13090E-07
A10= 7.71897E-10
第10面
K= 0.00000E+00, A4= 8.34840E-05, A6= 1.96741E-06, A8=-8.66211E-08
A10= 7.18477E-10
第14面
K=-1.68898E+00, A4= 1.02874E-04, A6= 1.69686E-07, A8= 2.74156E-08
A10=-6.65038E-10
第15面
K= 0.00000E+00, A4= 1.24422E-04, A6=-1.58596E-07, A8= 2.32560E-08
A10=-6.94722E-10
第22面
K= 0.00000E+00, A4= 1.51005E-05, A6= 6.06276E-07, A8=-1.09490E-09
A10=-1.37441E-10
第26面
K= 0.00000E+00, A4=-5.46739E-04, A6= 4.53405E-05, A8=-2.04305E-06
A10= 4.00236E-08
第27面
K= 0.00000E+00, A4=-3.92063E-04, A6= 5.70284E-05, A8=-2.48640E-06
A10= 4.66694E-08
【０１１７】
表  ９（無限遠合焦状態での各種データ）
ズーム比    56.01093
広角      中間      望遠
焦点距離       3.7100   27.7631  207.7995
Ｆナンバー     2.90055   5.14453   6.09905
画角        47.5795    7.8568    1.0722
像高         3.4080    3.9020    3.9020
レンズ全長     89.2051  112.3873  149.9538
ＢＦ        0.86922   0.89449   0.81929
d6           0.7000   38.0000   68.0438
d12         37.9693    8.0576    1.5000
d21          1.3000   19.4149    9.4993
d23          3.8687    5.0000   16.4666
d25          2.0000    2.3000   16.0000
d27          5.8731    2.0955    1.0000
ズームレンズ群データ
群   始面    焦点距離
1      1    91.23618
2      7    -8.36202
3     13    16.55291
4     22   -86.16731
5     24   -33.33346
6     26    15.76644
【０１１８】
（数値実施例４）
数値実施例４のズームレンズ系は、図１０に示した実施の形態４に対応する。数値実施例４のズームレンズ系の面データを表１０に、非球面データを表１１に、無限遠合焦状態での各種データを表１２に示す。
【０１１９】
表  １０（面データ）
面番号         r           d           nd         vd                
物面             ∞                                               
1        183.98470     1.70000     1.80610    33.3               
2         67.92430     4.38180     1.49700    81.6               
3      -1488.09180     0.20000                                   
4         63.96440     3.10620     1.49700    81.6               
5        338.34500     0.20000                                   
6         62.14300     2.06570     1.59282    68.6               
7        118.16060        可変                                   
8*       110.17070     1.00000     1.80420    46.5               
9*         8.55240     6.52500                                   
10        -15.97770     0.50000     1.83400    37.3               
11         24.12240     1.94830     1.94595    18.0               
12       -130.52540     0.20000                                   
13         36.32690     1.26720     1.94595    18.0               
14        130.15990        可変                                   
15(絞り)           ∞     0.86600                                   
16*        10.81890     2.98260     1.60602    57.4               
17*       -64.56790     1.40380                                   
18         25.98340     2.04880     1.49700    81.6               
19        -41.80150     0.50000     1.80610    33.3               
20         10.09100     0.75960                                   
21         16.22860     2.64960     1.49700    81.6               
22        -15.97040        可変                                   
23        -96.55230     1.00000     1.49700    81.6               
24         18.42480        可変                                   
25*        15.59150     2.36330     1.54410    56.1               
26*       -28.65170        可変                                   
27               ∞     1.00000     1.51680    64.2               
28               ∞        (BF)                                   
像面             ∞                                               
【０１２０】
表  １１（非球面データ）
第8面
K= 0.00000E+00, A4= 3.71891E-05, A6=-1.52620E-07, A8=-6.22383E-10
A10= 3.42906E-12
第9面
K= 0.00000E+00, A4= 1.28467E-05, A6=-6.55779E-07, A8= 3.18057E-08
A10=-5.54881E-10
第16面
K=-1.46742E+00, A4= 1.06548E-04, A6=-3.95334E-07, A8= 2.32214E-08
A10=-3.07692E-10
第17面
K= 0.00000E+00, A4= 9.61720E-05, A6=-7.66559E-07, A8= 2.05604E-08
A10=-3.21656E-10
第25面
K= 0.00000E+00, A4=-9.31931E-05, A6= 5.33764E-06, A8=-9.18960E-08
A10= 2.42305E-09
第26面
K= 0.00000E+00, A4=-2.13550E-05, A6= 2.42195E-06, A8= 1.65201E-07
A10=-3.08081E-09
【０１２１】
表  １２（無限遠合焦状態での各種データ）
ズーム比    65.29142
広角      中間      望遠
焦点距離       3.7003   29.9025  241.5946
Ｆナンバー     3.40044   6.18470   6.72954
画角        47.8740    7.2988    0.9130
像高         3.4080    3.9020    3.9020
レンズ全長     91.8364  121.4421  161.9891
ＢＦ        1.18296   1.18464   1.11143
d7           0.7000   43.4264   68.2003
d14         38.0000    9.6915    1.5000
d22          1.8000   20.9317   15.1409
d24          4.0000    5.0000   36.3686
d26          7.4855    2.5400    1.0000
ズームレンズ群データ
群   始面    焦点距離
1      1    90.80748
2      8    -8.75022
3     15    16.89083
4     23   -31.04187
5     25    18.91322
【０１２２】
（数値実施例５）
数値実施例５のズームレンズ系は、図１３に示した実施の形態５に対応する。数値実施例５のズームレンズ系の面データを表１３に、非球面データを表１４に、無限遠合焦状態での各種データを表１５に示す。
【０１２３】
表  １３（面データ）
面番号         r           d           nd         vd                
物面             ∞                                               
1        101.74870     1.70000     1.80610    33.3               
2         50.33300     4.74560     1.49700    81.6               
3       -605.39680     0.20000                                   
4         46.61920     3.45190     1.59282    68.6               
5        150.18640        可変                                   
6         67.97700     1.00000     1.80420    46.5               
7          8.22480     5.32150                                   
8        -17.48260     0.70000     1.80420    46.5               
9         44.76360     0.20000                                   
10         23.22590     1.87950     1.94595    18.0               
11       -191.03070        可変                                   
12(絞り)           ∞     0.50000                                   
13*        10.44370     2.88840     1.60602    57.4               
14*       -29.91320     1.37480                                   
15       -487.23250     1.41220     1.49700    81.6               
16        -30.82980     0.50000     1.80610    33.3               
17         11.02100     0.79690                                   
18         17.94940     2.61400     1.49700    81.6               
19        -11.58640        可変                                   
20        -75.02180     1.00000     1.49700    81.6               
21         15.80850        可変                                   
22*        20.02920     2.03640     1.54410    56.1               
23*       -27.45430        可変                                   
24               ∞     1.00000     1.51680    64.2               
25               ∞        (BF)                                   
像面             ∞                                               
【０１２４】
表  １４（非球面データ）
第13面
K=-1.60976E+00, A4= 1.04725E-04, A6= 2.12223E-07, A8= 1.45232E-08
A10=-1.24938E-09
第14面
K= 0.00000E+00, A4= 1.42668E-04, A6=-5.82692E-08, A8=-9.34423E-09
A10=-1.01070E-09
第22面
K= 0.00000E+00, A4=-1.44465E-04, A6=-7.23537E-06, A8= 1.18316E-06
A10=-2.43212E-08
第23面
K= 0.00000E+00, A4=-1.02402E-04, A6=-1.34449E-05, A8= 1.85128E-06
A10=-3.97456E-08
【０１２５】
表  １５（無限遠合焦状態での各種データ）
ズーム比    46.49462
広角      中間      望遠
焦点距離       4.4500   30.3448  206.9017
Ｆナンバー     2.90073   4.76104   6.09964
画角        41.9908    7.1947    1.0634
像高         3.4080    3.9020    3.9020
レンズ全長     87.7865  108.5451  144.6492
ＢＦ        1.17818   1.21026   1.12781
d5           0.7000   38.0000   65.1258
d11         38.0000    9.1383    1.5000
d19          4.0137   19.7354   11.5740
d21          4.0000    5.0000   29.4323
d23          6.5734    2.1399    2.5681
ズームレンズ群データ
群   始面    焦点距離
1      1    87.60252
2      6    -9.26364
3     12    15.94498
4     20   -26.17634
5     22    21.61055
【０１２６】
以下の表１６に、各数値実施例のズームレンズ系における各条件の対応値を示す。
【０１２７】
表  １６（条件の対応値） 
【表１】
2016075967.tif 000004
【０１２８】
以上のように、本開示における技術の例示として、実施の形態を説明した。そのために、添付図面および詳細な説明を提供した。
【０１２９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３０】
また、上述の実施の形態は、本開示における技術を例示するためのものであるから、特許請求の範囲またはその均等の範囲において種々の変更、置き換え、付加、省略などを行うことができる。
【産業上の利用可能性】
【０１３１】
本開示は、デジタルカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等のデジタル入力装置に適用可能である。特に本開示は、デジタルカメラ等の高画質が要求される撮影光学系に適用可能である。
【符号の説明】
【０１３２】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ａ      開口絞り
Ｐ      平行平板
Ｓ      像面
１      ズームレンズ系
２      撮像素子
３      液晶モニタ
４      筐体
【図１】
2016075967.tif 000005
【図２】
2016075967.tif 000006
【図３】
2016075967.tif 000007
【図４】
2016075967.tif 000008
【図５】
2016075967.tif 000009
【図６】
2016075967.tif 000010
【図７】
2016075967.tif 000011
【図８】
2016075967.tif 000012
【図９】
2016075967.tif 000013
【図１０】
2016075967.tif 000014
【図１１】
2016075967.tif 000015
【図１２】
2016075967.tif 000016
【図１３】
2016075967.tif 000017
【図１４】
2016075967.tif 000018
【図１５】
2016075967.tif 000019
【図１６】
2016075967.tif 000020